(57)【要約】【課題】    接合構造部によってしっかりと接合される一対の基本的にＵ字型のつがい部を含む、組合わせ式フレームを提供する。【解決手段】  別々に一枚の板から切り出したＵ字型の第１及び第２のつがい部（２，３）から構成する。第１つがい部（２）は、第２つがい部（３）と相補的であり、両者を接合すると正方形又は矩形のフレームが形成できる。その接合構造部（４）は、複数のあり継ぎほぞ（４１）と、対応するあり継ぎほぞ穴（４４）を含む。夫々のあり継ぎほぞ（４１）は、突出端部を有しあり継ぎほぞ（４１）と、あり継ぎほぞ穴（４４）とを接合して２個のつがい部を接合した後で第２つがい部にリベット止（４３，４５）めされる。【選択図】 図５
0003116399.tif 000002
【実用新案登録請求の範囲】
【請求項１】
組立て式フレームであって、以下の要素からなるもの：
第１つがい部が一枚の板材から切り出され、実質的にＵ字型の構造が第１及び第２のサイド部を含み；
第２つがい部が一枚の板材から切り出され、実質的にＵ字型をなした第１及び第２サイド部を持ち、前記第２つがい部の前記第１及び第２サイド部は夫々前記第１つがい部の前記第１及び第２サイド部と相補的長さを有し前記第１及び第２つがい部が接合されて正方形又は矩形のフレームを形成し；
接合構造部が２個の対応する前記第１及び第２つがい部の前記第１及び第２サイド部の自由端部に設けられ前記組立て式フレームを形成し；
前記接合構造部は複数のあり継ぎほぞを有し、前記第１つがい部の前記第１及び第２サイド部の自由端部に形成されており、その前面の端部には夫々突出端部があり、複数のあり継ぎほぞ穴が前記第２つがい部の前記第１及び第２サイド部の自由端部に形成され前記第１つがい部のあり継ぎほぞに対応している。
【請求項２】
請求項１に記載の組立て式フレームにおいて、前記突出端部が前記接合構造部に前記あり継ぎほぞの端部に形成され前記第１及び第２つがい部が接合構造部を介して接合される時に、前記あり継ぎほぞ穴のすぐ後の前記第２つがい部の第１及び第２サイド部に重なるもの。
【請求項３】
請求項２に記載の組立て式フレームにおいて、前記第２つがい部の前記第１及び第２サイド部に重なっている前記あり継ぎほぞの前記突出端部が前記第２つがい部にリベット止めされているもの。
【請求項４】
請求項１に記載の組立て式フレームにおいて、前記第１及び第２つがい部の夫々の直角のかどが前記接合構造部を持つもの。
【請求項５】
請求項１に記載の組立て式フレームにおいて、前記第１及び第２つがい部が夫々内側に水平なフランジを形成するように曲げられ前記第１及び第２つがい部がはっきりとしたＬ字型断面を持つもの。
【請求項６】
請求項５に記載の組立て式フレームにおいて、前記第１及び第２つがい部が前記Ｌ字型断面を持つように曲げられた場合に２個の相対する端部を直角のかどで固く接合するために前記第１及び第２つがい部が夫々の直角なかどに前記接合構造部が設けられているもの。
【請求項７】
請求項１に記載の組立て式フレームにおいて、前記第１及び第２つがい部が外向けの水平フランジを形成するように曲げられ前記第１及び第２つがい部がはっきりとしたＬ字型断面を持つもの。
【請求項８】
請求項７に記載の組立て式フレームにおいて、前記第１及び第２つがい部が前記Ｌ字型断面を有するように曲げられた場合に２個の相対する端部が前記直角なかどで固く接合するために前記第１及び第２つがい部の夫々の直角のかどに前記接合構造部が設けられているもの。
【請求項９】
組立て式フレームであって、２個の垂直に積み重ね接合した組立て式フレームで、特に上部及び下部組立て式フレームが以下を満足するもの；
前記上部組立て式フレームが以下を含むもの；
第１つがい部が一枚の板材から切り出され、はっきりとしたＵ字型の構成で第１及び第２サイド部を含み、前記第１つがい部は内側に水平なフランジを形成するように曲げられており前記第１つがい部がはっきりとしたＬ字型断面を持つもの。
第２つがい部が一枚の板から切り出され、はっきりとしたＵ字型の構成で第１及び第２サイド部を含み、前記第２つがい部は内側に水平なフランジを形成するように曲げられ、前記第２つがい部が前記第１つがい部に対応するはっきりとしたＬ字型断面を持ち、前記第２つがい部の前記第１及び第２サイド部が前記第１つがい部の前記第１及び第２サイド部の長さが相補的であり、第１及び第２つがい部が接合され正方形又は矩形の組み合わせフレームを形成し；
前記第２つがい部の前記第１及び第２サイド部の相対する自由端部に接合構造部が設けられ前記第１及び第２つがい部を固く接合して前記上部組み合わせフレームを形成し；
前記接合構造が複数の前に突き出たあり継ぎほぞを持ち前記第１つがい部の前記第１及び第２サイド部の自由端部に形成されており、その前部の端部に形成された突出端部があり、前記第２つがい部の前記第１及び第２サイド部の自由端部に形成されたあり継ぎほぞ穴があり前記第１つがい部に形成されたあり継ぎほぞに対応しており；
前記下部組み合わせフレームが以下を含むもの：
第１つがい部が一枚の板から切り出されはっきりとしたＵ字型をなした構成が第１及び第２サイド部を含み；前記第１つがい部が外向けの水平フランジを形成するように曲げられ前記第１つがい部がはっきりとしたＬ字型断面を持つもの；
第２つがい部が一枚の板から切り出されはっきりとしたＵ字型をなした構成が第１及び第２サイド部を含み；前記第２つがい部が外向けの水平フランジを形成するように曲げられ前記第２つがい部がはっきりとしたＬ字型断面を持ち前記第１つがい部と対応し；前記第１及び第２つがい部の長さが前記第１つがい部の前記第１及び第２サイド部と長さと相補的であり、前記第１及び第２つがい部が正方形又は矩形の縁取り構造を形成し；
接合構造部が前記第１及び第２つがい部の前記第１及び第２サイド部の２個の相対する自由端部に前記第１及び第２つがい部が接合されて前記上部組み合わせフレームを形成するために設けられており；
前記接合構造部が前記第１つがい部の前記第１及び第２サイド部の自由端部に形成された複数の前に突き出したあり継ぎほぞを含み、その先端部の夫々に突出端部があり、前記第２つがい部の前記第１及び第２サイド部の自由端部にあり継ぎほぞ穴が形成され、前記第１つがい部に形成されたあり継ぎほぞに対応していること。
【請求項１０】
請求項９に記載の組み合わせフレームにおいて、前記接合構造部の前記あり継ぎほぞの先端部に形成された前記突出端部が接合構造部によって前記第１及び第２つがい部が接合された場合に前記あり継ぎほぞ穴のすぐ後の第２つがい部の前記第１及び第２サイド部に重なるもの。
【請求項１１】
請求項１０に記載の組立て式フレームにおいて、前記第２つがい部の前記第１及び第２サイド部に重なる前記突出部が前記第２つがい部にリベット止めされたもの。
【考案の詳細な説明】
【技術分野】
【０００１】
本考案は、組立て式フレームに関するもので、詳細に述べれば接合部で接合される一対のつがいパーツを含む組立て式フレームに関するものである。
【背景技術】
【０００２】
平面部材やフレームは各種の製品に広く使用されている。従来は正方形又は矩形のフレームは一枚の平板材から切り出されている。図１は一枚の平板材から切断線１１に沿って切り出されたフレーム１を示す。殆どの場合に切り出し後の残材１２は廃材になり、更なる同一寸法のフレームの生産には用いられない。たとえ、残材１２が再利用されてもこの部材の利用率は工業的要求に程遠い。フレームの製造業者にとって残材１２を廃棄することは材料の無駄につながりフレームの製造価格を上昇させている。
【考案の開示】
【考案が解決しようとする課題】
【０００３】
本考案の主な目的は、一対のつがいパーツを用いてフレーム完成品を形成し、廃棄残材を極力減らす組立て式フレームを提供することである。更なる本考案の目的は、接合構造部によってしっかりと接合される一対の基本的にＵ字型のつがいパーツを含む組立て式フレームを提供することである。更なる本考案の目的は、相対する部材の端部が接合構造部やリベット止めでしっかりと接合された基本的にＵ字型のつがいパーツを含む組立て式フレームを提供することである。
【課題を解決するための手段】
【０００４】
本考案は、上記目的を達成するために、組立て式フレームであって別々に一枚の板から切り出したＵ字型の第１及び第２つがい部を含むように構成される。第１つがい部は第２つがい部と相補的であり、両者を接合すると正方形又は矩形のフレームが形成できる。接合構造部は相対する２個の第１及び第２つがい部の端部に設けられている。その接合構造部は、複数のあり継ぎほぞと対応するあり継ぎほぞ穴を含み、第１及び第２つがい部夫々の相対する２個の接合部の端部に形成され両者を接合する。夫々のあり継ぎほぞは突出端部を有し、あり継ぎほぞとあり継ぎほぞ穴とを接合して２個のつがい部を接合した後で第２つがい部にリベット止めされる。
【考案の効果】
【０００５】
本考案によると、組立て式フレームであって別々に一枚の板から切り出したＵ字型の第１及び第２つがい部を含むように構成されるので、組立て式フレームは、板の廃材が出すぎるという問題を効果的に解決して大いに材料原価を低減させ、板原材料取りの歩留まりを最適化する。更に、本考案によると、２個のつがい部は、接合構造やリベット止め構造によって接合されているので、組立て式フレームは、極めてたわみに強く、抜けにくく、ねじれに強く工業的な要求に合致し極めて実用的である。
【考案を実施するための最良の形態】
【０００６】
上記並びに他の目的を達成するために、本考案が適用する構造や技術的な方法は以下に示す実施例の詳細な説明や図面によって最も理解される。
【０００７】
図２は、本考案による第１実施例の組立て式フレームの分解平面図である。図にある通り組立て式フレームは、２個の実質的なＵ字型つがい部を含み、特に第１及び第２つがい部２、３は、一枚の板材から別々に切り出され、第１サイド部２１、３１と、第２サイド部２２、３２を含んでいる。第１つがい部２の第１及び第２サイド部２１、２２の長さは、第１つがい部２を切り出した板材の実際の大きさによって決定される。しかしながら、第２つがい部３の第１及び第２サイド部３１、３２の長さは、第１つがい部２の第１及び第２サイド部２１、２２の長さと相補的になっており第１と第２つがい部２、３が接合されて正方形又は矩形の縁取りを形成できるようになっている。
【０００８】
図３に示す通り、本考案の組立て式フレームの第１及び第２つがい部２、３は、それぞれの二つの直角な角２１a,２２a、３１a,３２aにおいて切断されており、第１及び第２つがい部２、３が折り曲げ線２３に沿って以下に示す曲げ加工によってＬ型の断面となるように曲げても良い。
【０００９】
図４は、図３における円で囲った部分Ａの拡大図である。図に示す通り接合構造部４は、第１及び第２つがい部２、３の第１サイド部２１、３１の２個の相対する自由端部に設けられている。同様に、接合構造部４は、第１及び第２つがい部２、３の第２サイド部２２、３２の相対する二つの自由端部にも設けられている。接合構造部４には、複数の突き出したあり継ぎほぞ４１が、第１つがい部２の第１及び第２サイド部２１、２２の自由端部に形成されており、その先端に夫々形成された突出端部４２がある。接合構造部４は、第２つがい部３の第１及び第２サイド部３１、３２の自由端部に形成された複数のあり継ぎほぞ穴４４も含み、あり継ぎほぞ４１に対応している。
【００１０】
第１及び第２つがい部２、３が、あり継ぎほぞ４１とあり継ぎほぞ穴４４によって接合された場合、図５に示す正方形又は矩形のフレーム構造が形成される。図６は、図５の６−６線に沿った断面図である。図の通り、第１及び第２つがい部２、３が接合構造部４によって接合されると、夫々の突出端部４２が、あり継ぎほぞ穴４４の直ぐ後にある第１及び第２サイド部３１、３２を重ね合わせる。それからリベット構造を突出端部４２及びサイド部３１、３２に独立して設けられたリベット穴４３、４５によって突出端部４２をサイド部３１、３２にしっかりリベット止めするために用いる。図７に本考案による第１実施例の組み合わせフレームの完成品を示す。
【００１１】
上記の方法によれば、第１及び第２つがい部２、３から形成された組立て式フレームは、廃材をあまり多く出さずに製造できる。接合構造部４及びリベット止め構造部も第１及び第２つがい部２、３を固く互いに接合し組立て式フレームを極めてたわみに強く、抜けにくく、ねじれに強くすることができる。
【００１２】
図８は 本考案による第２実施例の組立て式フレームの斜視図である。図７に示す第１実施例では組立て式フレームの完成品は内向きの水平なフランジがあり、個々の組立て式フレームが実質的なＬ型断面をなしている。図８に示す第２実施例では組立て式フレームは、第１及び第２つがい部２a、３aから形成され、外向きの水平なフランジをもち、個々の組立て式フレームが実質的なＬ型断面をなすようになっている。
【００１３】
図９は、本考案による第３実施例の組立て式フレームの分解斜視図である。組立て式フレーム５は、２個の垂直に積み重ね接合した組立て式フレームを含み、特に下部の組立て式フレームは、図７に示す通り２個のつがい部２、３から成り上部の組立て式フレームは２個のつがい部２ｂ、３ｂから成っている。
【００１４】
本考案に於いて接合構造部を第１及び第２つがい部２、３のすべての直角な角に設け組立て式フレームを堅固にすることができる。図１０は、図５に於ける円で囲った部分Ｂの拡大図で接合構造部４が第１つがい部２の直角のかどに設けられている様を示す。
【図面の簡単な説明】
【００１５】
【図１】フレーム全体を一枚の平板材から切り出す従来の方法を示す。
【図２】本考案による第１実施例の組立て式フレームの分解平面図である。
【図３】図１に示す組立て式フレームの夫々の二対の相対する端部に接合構造部を有す２個のつがいパーツを示す。
【図４】図３の円で囲ったＡ部の拡大図である。
【図５】図３の２個のつがい部が接合されて本考案の組立て式フレームを構成する様を示す。
【図６】図５における６−６線に沿った断面を示す。
【図７】本考案による第１実施例において完全に組み上げた状態の組立て式フレームの斜視図である。
【図８】本考案による第２実施例の斜視図である。
【図９】本考案による第三実施例の組立て式フレームの分解斜視図である。
【図１０】図５の円で囲ったＢ部の拡大図で、本考案による組立て式フレームのつがい部の直角のかどに付加的に設けられた接合構造部を示す。
【符号の説明】
【００１６】
１                  フレーム
２、２a、２b        第１つがい部
３、３a、３b        第２つがい部
４                  接合構造部
５                  第３実施例
６                  断面表示線
１１                 切断線
１２                 残材
２１、２１a           第１サイド部
２２、２２a           第２サイド部
２３                  折り曲げ線
３１、３１a           第１サイド部
３２、３２a           第２サイド部
４１                  あり継ぎほぞ
４２                  突出端部
４３                  リベット穴
４４                  あり継ぎほぞ穴
４５                  リベット穴
【図１】
0003116399.tif 000003
【図２】
0003116399.tif 000004
【図３】
0003116399.tif 000005
【図４】
0003116399.tif 000006
【図５】
0003116399.tif 000007
【図６】
0003116399.tif 000008
【図７】
0003116399.tif 000009
【図８】
0003116399.tif 000010
【図９】
0003116399.tif 000011
【図１０】
0003116399.tif 000012